(57)【要約】【課題】部品点数が少なく、作成が容易で大量生産に適したドキュメントケースを提供すること。【解決手段】矩形状隔壁部１３ａ，１３ｂ，・・・１３ｆを連接し、それらの境界１７ａ，１７ｂ，・・・１７ｅを屏風状に折り曲げ、隣り合う２枚を１対として各対の境界部側縁に切込み１４ａ，１４ｂを入れ、且つ各対の隔壁部側縁同士を舌片１５ａ，１５ｂ，１５ｃを利用して接合した構造のドキュメントケースとした。【選択図】　　　　図３
2004074698.tif 000002
【特許請求の範囲】
【請求項１】
矩形状隔壁部を複数連接し、それらの境界を屏風状に折り曲げ、隣り合う２枚を１対として各対の境界部側縁に切込みを入れ、且つ前記各対の隔壁部側縁同士を接合したことを特徴とする、ドキュメントケース。
【請求項２】
前記切込みを挟んだ相隣り合う隔壁部同士を、前記切込みの先端から、該切込みに対して垂直方向に延びる帯状部分で互いに接合したことを特徴とする、請求項１に記載のドキュメントケース。
【請求項３】
前記切込みを挟んだ相隣り合う隔壁部同士を、前記帯状部分の下端同士を結ぶようにして接合するとともに、一方の隔壁部の開口縁部に、該開口に沿って切込みを入れて副ポケットを付設したことを特徴とする、請求項２に記載のドキュメントケース。
【発明の詳細な説明】
【０００１】
【発明の属する技術分野】
本発明は、ドキュメントケースに関するもので、詳しくは、側壁を蛇腹状に形成したドキュメントケースに関するものである。
【０００２】
【従来の技術】
従来より、薄物の書類を整理するために、図５に示したように、複数のポケット１ａ，１ｂ，１ｃを重ねるようにして配置した、いわゆるドキュメントケースが存在する。このドキュメントケースには、各ポケット１ａ，１ｂ，１ｃの開口が拡げ易いように、各ポケット１ａ，１ｂ，１ｃの側壁２を蛇腹状に形成したものがある。
【０００３】
このようなドキュメントケースでは、図６に示したように、各ポケット１ａ，１ｂ，１ｃの底壁部３ａ，３ｂ，・・・３ｇ，３ｈおよび両側壁部２ａ，２ｂ，・・・２ｇ，２ｈを成す部材Ａと、それらのポケットの隔壁部４ａ，４ｂを成す部材Ｂと、最外側に位置するポケット１ａ，１ｃの外側の隔壁５ａ，５ｂを成す部材Ｃ，Ｄとによって構成されている。
【０００４】
そして、上記部材Ａは、平板状の素材を屏風状に折り曲げ、両側壁部２ａ，２ｂ，・・・２ｇ，２ｈを底壁部３ａ，３ｂ，・・・３ｇ，３ｈに対して垂直に立ち上げ、また上記部材Ｂは、両側縁を折り曲げて舌片（糊代）６ａ，６ｂを形成し、この部材Ｂの舌片６ａ，６ｂを上記部材Ａの側壁部２ｄ，２ｆに接合させ、上記部材Ｃの側縁および底縁を上記部材Ａの最前面側の側壁部２ａおよび底壁部３ａに接合し、そして、上記部材Ｄの側縁および底縁を上記部材Ａの最後面側の側壁部２ｈおよび底壁部３ｈに接合して、図５に示したようなドキュメントケースを作成する。
【０００５】
【発明が解決しようとする課題】
このように、従来のドキュメントケースは、少なくとも４種類の形状の部材Ａ，Ｂ，Ｃ，Ｄを使用し、それらの部材を互いに接合させる必要があるため、型取り（材料取り）が煩雑になるばかりでなく、接合作業も煩雑であり、大量生産には適していないと言う課題があった。
【０００６】
そこで、本発明の目的は、部材点数が少なく、作成が容易で大量生産に適したドキュメントケースを提供することにある。
【０００７】
【課題を解決するための手段】
本発明のドキュメントケースは、矩形状隔壁部を複数連接し、それらの境界を屏風状に折り曲げ、隣り合う２枚を１対として各対の境界部側縁に切込みを入れ、且つ前記各対の隔壁部側縁同士を接合したことを特徴としている。
この発明のドキュメントケースは、基本的に１枚の部材から形成でき、その部材は全体がほぼ矩形状を呈している。したがって、無駄のない材料取りができ、しかも作成作業も単純になる。
【０００８】
また、本発明のドキュメントケースは、上記発明において、前記切込みを挟んだ相隣り合う隔壁部同士を、前記切込みの先端から、該切込みに対して垂直方向に延びる帯状部分で互いに接合したことを特徴としている。
この発明のドキュメントケースは、切込みの補強が図れるとともに、側壁が蛇腹状に形成される。したがって、各ポケットが開口から底壁に渡って比較的均一な厚みを保つことができる。
【０００９】
さらに、本発明のドキュメントケースは、上記発明において、前記切込みを挟んで相隣り合う隔壁部同士を、前記帯状部分の下端同士を結ぶようにして接合するとともに、一方の隔壁の開口縁部に、該開口に沿って切込みを入れて副ポケットを付設したことを特徴としている。
この発明のドキュメントケースは、切込みを挟んで相隣り合う隔壁部同士はそれぞれが重なった状態にあり、上記発明で互いに接合した帯状部分に加えて、帯状部分の下端同士を結ぶようにして接合すれば、それらの隔壁部間に閉空間が形成される。そこで、一方の隔壁部の開口縁部に切込みを入れれば、そこに副ポケットを形成することができる。したがって、特別な部材を加えることなく、簡単にポケットの数を増やすことができる。
【００１０】
【発明の実施の形態】
以下、上記した本発明に係るドキュメントケースを、図面に示した一実施の形態に基づいて詳細に説明する。
【００１１】
図１乃至図３は、本発明に係るドキュメントケースを示したもので、図１は、そのケースの完成状態を示した斜視図，図２は、そのケース部材の展開図，図３は、そのケース部材を折り畳む途中の状態を示した斜視図である。
【００１２】
このドキュメントケース１０は、図１に示したように、３つのポケット１１（１１ａ，１１ｂ，１１ｃ）を有し、蛇腹状の側壁１２が形成されている。
【００１３】
このドキュメントケース１０の部材は、図２に示したように、矩形状隔壁部１３ａ，１３ｂ，１３ｃ，１３ｄ，１３ｅ，１３ｆが連接され、隣り合う２枚の隔壁部１３ａおよび１３ｂ、隔壁部１３ｃおよび１３ｄ、隔壁部１３ｅおよび１３ｄ、隔壁部１３ｅ，１３ｆをそれぞれ１対として各対の境界部両側縁に切込み１４ａ、１４ｂが入れられている。
【００１４】
さらに、上記各対の一方の隔壁部、このケースでは隔壁部１３ａ，１３ｃ，１３ｆの両側に舌片１５ａ，１５ｂ，１５ｃが付設され、また隔壁部１３ｆに蓋１６が連接されている。
【００１５】
そして、図２に示した部材は、図３に示したように、相隣り合う隔壁部１３ａ，１３ｂ，１３ｃ，１３ｄ，１３ｅ，１３ｆをそれらの境界１７ａ，１７ｂ，１７ｃ，１７ｄ，１７ｅで屏風状に折り曲げ、隔壁１３ａの舌片１５ａを隔壁１３ｂの側縁に、隔壁１３ｃの舌片１５ｂを隔壁１３ｄの側縁に、隔壁１３ｆの舌片１５ｃを隔壁１３ｅの側縁にそれぞれ接着剤，熱等で接合させ、さらに、切込み１４ａ，１４ｂを挟んだ相隣り合う隔壁１３ｂおよび１３ｃ、隔壁１３ｄおよび１３ｅ同士を、前記切込み１４ａ，１４ｂの先端から、それらの切込み１４ａ，１４ｂに対して垂直方向に延びる帯状部分１８ａおよび１８ｂ、帯状部分１８ｃおよび１８ｄを互いに接着剤，熱等で接合する。
【００１６】
このようにして作成されたドキュメントケース１０は、図１に示したように、３つのポケット１１（１１ａ，１１ｂ，１１ｃ）を有し、蛇腹状の側壁１２が形成される。そして、隔壁部１３ａにフックの一方１９ａが取付けられ、蓋１６にフックの他方１９ｂが取付けられる。
【００１７】
なお、上記実施の形態のドキュメントケースは、基本的な形態を示したもので、ポケット１１の数は隔壁部１３の数を増減させることによって任意に増減させることができる。
また、ケース部材の材質は、合成樹脂，紙等、ある程度の剛性と可撓性とを備え、且つ接着剤，熱等により容易に接合できるものであれば、何らその材質は限定されない。
【００１８】
また、上記実施の形態の変形例として、図４に示したように、隔壁部１３ｂと隔壁部１３ｃの接合部である帯状部分１８ａ，１８ｂの下端間にわたって帯状の接合部２０を設けるとともに、隔壁部１３ｂの接合部（帯状部分１８ａ、１８ａ）の上端間にわたって切込み２１を設ければ、隔壁部１３ｂと隔壁部１３ｃとの間にも副ポケット２２を形成することができ、蓋１６を折り返し、その両側縁を互いに接合すれば、蓋１６にも副ポケット２３を形成することができる。
【００１９】
なお、上記実施の形態では、舌片１５ａ，１５ｂ，１５ｃを形成しているが、それらの舌片を使用せずに、隔壁１３ａ，１３ｂ、隔壁１３ｃ，１３ｄ、隔壁１３ｅ，１３ｆを、直接熱溶着等によって接合させてもよい。
【００２０】
【発明の効果】
以上説明したように、本発明の請求項１に記載のドキュメントケースは、矩形状隔壁部を複数連接し、それらの境界を屏風状に折り曲げ、隣り合う２枚を１対として各対の境界部側縁に切込みを入れ、且つ前記各対の隔壁部側縁同士を接合したことを特徴としている。
この本発明のドキュメントケースは、基本的に１枚の部材から形成でき、その部材は全体がほぼ矩形状をしているので、無駄のない材料取りができ、しかも作成作業も単純になる効果がある。
【００２１】
また、本発明の請求項２に記載のドキュメントケースは、上記発明において、前記切込みを挟んで相隣り合う隔壁同士を、前記切込みの先端から、該切込みに対して垂直方向に延びる帯状部分で互いに接合したことを特徴としている。
この本発明のドキュメントケースは、側壁が蛇腹状に形成されるので、各ポケットが開口から底壁に渡って比較的均一な厚みを保つことができる効果がある。
【００２２】
さらに、本発明の請求項３に記載のドキュメントケースは、上記発明において、前記切込みを挟んで相隣り合う隔壁同士を、前記帯状部分の下端同士を結ぶようにして接合するとともに、一方の隔壁の開口縁部に、該開口に沿って切込みを入れて、副ポケットを付設したことを特徴としている。
即ち、この本発明のドキュメントケースでは、切込みを挟んで相隣り合う隔壁同士がそれぞれ重なった状態にあり、互いに接合した帯状部分に加えて、帯状部分の下端同士を結ぶようにして接合すれば、それらの隔壁間に閉空間が形成され、一方の隔壁の開口縁部に切込みを入れれば、そこに副ポケットを形成することができる。
したがって、この本発明のドキュメントケースでは、特別な部材を加えることなく、簡単にポケットの数を増やすことができる効果がある。
【図面の簡単な説明】
【図１】本発明に係るドキュメントケースの一実施の形態を示した斜視図である。
【図２】図１に示したドキュメントケース部材の展開図である。
【図３】図２に示したケース部材を折り畳む途中の状態を示した斜視図である。
【図４】上記実施の形態の変形例を示した一部切欠き斜視図である。
【図５】従来のドキュメントケースを示した斜視図である。
【図６】図５に示したドキュメントケースの分解斜視図である。
【符号の説明】
１０　　　ドキュメントケース
１１，１１ａ，１１ｂ，１１ｃ　　　ポケット
１２　　　側壁
１３ａ，１３ｂ，・・・１３ｆ　　　隔壁部
１４ａ，１４ｂ　　　切込み
１５ａ，１５ｂ，１５ｃ　　　舌片
１６　　　蓋
１７ａ，１７ｂ，・・・１７ｅ　　　境界
１８ａ，１８ｂ，・・・１８ｄ　　　帯状部分（接合部）
１９ａ，１９ｂ　　　フック
２０　　　接合部
２１　　　切込み
２２，２３　　　副ポケット
【図１】
2004074698.tif 000003
【図２】
2004074698.tif 000004
【図３】
2004074698.tif 000005
【図４】
2004074698.tif 000006
【図５】
2004074698.tif 000007
【図６】
2004074698.tif 000008